(57)【特許請求の範囲】
【請求項１】
シート部と左右の上部吊り紐及び左右の下部吊り紐を備え、シート部は、座した被介護者の身長方向である縦寸法よりも被介護者の肩幅方向である横寸法が少し長いほぼ横長長方形をしたシート生地をその下辺から上方へほぼ半楕円形に切り込んで裁断し、下部の左右に脚当接部を形成すると共に上部に腰部当接部と臀部当接部を形成した全体として左右の脚当接部を臀部当接部と腰部当接部でつないだほぼ門形の形状であって、シート部の上方左右の隅部に上部吊り紐を、基部先端が周縁から離れた個所となる位置のシート生地へ直接にそれぞれ縫着し、左右の脚当接部の下部に下部吊り紐を、ほぼ上下方向に沿って、その基部先端が周縁から離れた個所となる位置のシート生地ヘ直接に縫い付けてあり、腰部当接部と臀部当接部及び左右の脚当接部は、車椅子、ベッド、シャワー椅子、便器あるいは浴槽に着座した被介護者の背面側で座面位置まで臀部当接部の下縁を到達させた後、脚当接部を左右それぞれに大腿部の外側に広げ、ついで、左右の下部吊り紐をそれぞれ大腿部の下面を通して内側に上げることにより大腿部の外側面と下面側を脚当接部でくるみ、左右の下部吊り紐をクロスさせてこれに左右の上部吊り紐を合わせた４本の吊り紐を介護用リフトのフックにかけ、吊り上げた状態としたとき、腰部当接部は骨盤を立て上げるように体前方へ腰部を押圧し、臀部当接部は仙骨を覆わず、臀部側面から大腿部の外側面及び大腿部の基部側下面に掛けて脚当接部がくるむ配置としてあることを特徴とした介護用スリング。
【請求項２】
シート部の腰部当接部と臀部当接部及び脚当接部に芯材をシート生地へ重ね合わせて縫着してあることを特徴とした請求項１に記載の介護用スリング。
【発明の詳細な説明】
【０００１】
【発明の属する技術分野】
この発明は、自力歩行の困難な者（被介護者と呼ぶ）を移動させるとき、その体を介護用リフトを用いて吊り上げるために用いる吊り紐付きのシート（スリング）に関する。
【０００２】
【従来の技術】
自力歩行の困難な身体障害者や高齢者などの被介護者が体を移動させる必要があるとき、すなわち、ベッドや車いす、便器、浴槽に乗り移る際などには、天井走行式、床走行式又は設置式の介護用リフトを使用することが多い。この場合、被介護者の体に介護用スリングを装着し、スリングの吊り紐を介護リフトのフックに掛けて体を吊り上げる。このような介護用スリングとして、介護者が被介護者を車いす等に座らせたままで着脱出来る脚分離型スリングが知られている（特開平７−２３６６６３号公報、特開２０００−１２６２５０号公報など）。
【０００３】
脚分離型スリングは被介護者の臀部の一部から大腿部の下面に回り込んで当接する脚当接部と腰部から上腕部及び臀部に当接する部分を有するシート部と、シート部の４隅からシート縁ステッチと一体となった上部２本、下部２本の合計４本の吊り紐とで構成されたスリングが最も一般的である。図１に従来のスリング１の形態を展開して示す。スリング１はシート部２と上部吊紐３（左右２本）、下部吊り紐４（左右２本）を備え、上部吊り紐３と下部吊り紐４の端部は、シート部２の周縁に縫い付けたシート縁ステッチ５ヘ縫着してある。シート縁ステッチ５は、シート部２の周縁がほころぶのを防止するためと、シート生地の裂断に対して補強するために、裁断したシート生地の縁を抱き込むようにして縫い付けたテープ状の布である。
【０００４】
スリング１は展開すると全体としてほぼＨ形をした形態があり、中央下部に位置する臀部当接部６、その上部の腰部当接部７、左右の上部に位置する上腕当接部８及び左右の下部に位置する脚当接部９とからなる。臀部当接部６と腰部当接部７には中央部左右に補強帯１０を縫い付けてある。符号１０ａは手掛けベルトであり、シート部２の背面に設けられていて介護者が用いる。従来のスリング１は被介護者１１に対して次のように装着する（図２、（１）〜（７））。
（１）被介護者１１の上半身を前方に傾け、腰部と車いす１２の背もたれ部の間、及び臀部と車いす座面に十分な隙間を作る（図２、（１））。
【０００５】
（２）スリング１を被介護者臀部の奥に挿入する。ついで、被介護者１１の体を車椅子１２の背シートにおこす。このときスリング１におけるシート部２の臀部当接部６（図３）を被介護者１１の仙骨部を覆う程度まで深く挿入する（図２、（２））。なお、挿入が不完全な場合、臀部がずり落ちた状態で吊り上がり、局部的に圧迫が生じて被介護者１１に苦痛を与える。これは、下部吊り紐４（図４）の基部をシート２を縁取るシート縁ステッチ５に縫い付けて下部吊り紐４とシート縁ステッチ５が一体化した状態で臀部周囲と大腿部を廻っている構造上、吊り上げると被介護者自身の体重が臀部と大腿部に集中し、図４に矢印で示すように、円で示す個所に局部的な圧迫を生じるためである。
また、臀部当接部６の挿入を充分に行なわないと、吊り上げたときに被介護者１１が落下する恐れが有る。これは、被介護者１１の腕がスリング１の内側にあって、ずり落ちを支える力が弱いのと、腕を入れると体幹が起き上がる傾向となるためである。なお、逆にほぼ１５°を超えて後方へ傾斜させると、被介護者１１の首を支えることが困難になる。一方、介護用スリング１の下部である臀部当接部６が仙骨部を覆う構造であると、臀部の下方へ手を差し込んでシートの皺をとり、かつ、シート部２を回り込ませる作業が被介護者の体重や場所の狭さによって非常に困難であるとともに、排泄の際、便座へ着座後、スリング１を完全に抜き取らないとスリング１が便で汚れやすく、介護者にとって着脱に手間を要する。
【０００６】
（３）脚当接部９を被介護者１１と車椅子１２のアームレストの間に差し込む（図２、（３））。介護者は、脚部当接部９の下端を片手で持ち、もう一方の手で被介護者１１の臀部脇部分に掛かるシート縁ステッチ５の個所を押さえながら、脚当接部９の下端を介護者の手前に引き、被介護者１１の臀部脇部分をシート部２が覆うように装着する（図２、（３）、（４））。
（４）脚当接部９を大腿外側から内側にまわし（図２、（５））、下部吊り紐４をたすき掛けにする（図２、（６））。
（５）下部吊り紐４をリフトのフック部に掛け、少し被介護者を吊り上げる。
【０００７】
（６）大腿の下面側と腰部側に位置するシート部２の皺（図２、（７））をとる。この皺は、従来型の脚分離型スリングの腰部当接部７と脚当接部９が布地と縁ステッチ材のみで構成され、いわゆる“腰”がないので、これらの個所に出来やすい。そして、皺のある状態で吊り上げると吊り上げる力が皺に沿って線状に集中し、腰部や肩胛骨、あるいは脚部に局部的に大きな圧迫が生じて被介護者１１に苦痛を与える。
（７）被介護者１１を吊り上げる。このときも、従来のスリング１は、肩及び上腕を覆っているのと（図４）、体が吊り上がると、上部吊り紐３がシート縁ステッチ５と一体化して直線になろうとする傾向が生じるのとで、両肩や上腕部、腰部を強く圧迫し、被介護者１１に苦痛を与える。
以上のように、従来のスリング１は左右の上部、下部の吊り紐３,４とシート部２のシート縁ステッチ５とが一体になっているので、吊り上げ時の力の伝達態様の基本が、図５のように、上部吊り紐３とステッチ５（シート部２側部）及び下部吊り紐４とで直線となる左右の対と、これらを結合した臀部当接部６とでＨ形となる特徴がある。
【０００８】
さらに、吊り上げた被介護者１１を再び車いす１２へ戻すとき、車いす１２の背の角度と介護用リフトで吊り上げた被介護者１１の背の角度が大きく違うために、そのまま着座させると車いす１２上での姿勢が悪くなり被介護者１１にとって苦痛を伴う。車いす１２を後方に傾けて着座させる方法や、車いす１２の後方からスリングの介護者用手掛けバンド１０ａを車いす１２の前輪が浮く程度の力で後方に引っ張り、被介護者がいすの深い位置へ安定に着座できる状態となってから、前輪をゆっくりと着地させる方法、あるいは、車いす１２の前輪が浮く程度の力で被介護者１１の膝を押さえながら着座させる方法が一般的であるが、いずれの方法も介護者が非力な高齢者や女性の場合には技術的、体力的に困難な場合がある。
【０００９】
また、シャワー椅子での装着は、介護者が被介護者１１の体と介護用スリング１が濡れた状態なので、スリング１を臀部の奥、仙骨部を十分覆う程度まで深く挿入する作業や臀部脇と大腿部脇にスリング１を挿入する作業は介護者にとってしづらく困難な作業であるうえ、皺の寄ったスリング１で無理に体を擦過し、被介護者１１に苦痛を与える。このことは、シャワー椅子の形状が多種なこともあって、解決されねばならない。
【００１０】
【発明が解決しようとする課題】
この発明は、介護用スリングに関し、シート部の臀部当接部を被介護者の臀部へ深く挿入しなくても大腿部への直接的な局部的圧迫が少なく、シート部の脚当接部や腰部当接部あるいは臀部当接部に皺を発生しにくくすること、被介護者を吊り上げた際に被介護者の肩や上腕部に与える圧迫をなくすこと、吊り上げた被介護者の姿勢を安楽に維持すると共に、車いすへの再着座作業を軽減することを課題とする。
【００１１】
【課題を解決するための手段】
介護用スリングを、シート部、シート縁ステッチ、上部吊り紐、下部吊り紐及び芯材を備えた脚分離形のものとする。上部吊り紐及び下部吊り紐の基部はシート部上方の左右隅部で、基部先端が周縁から離れた比較的深い位置のシート生地ヘ直接に縫着する。このときの上部吊り紐の長手方向の中心線は臀部当接部の方向を向くように傾斜させる。下部吊り紐は、中心線をほぼ上下方向とし、基部を脚当接部の下端部へ、その基端が周縁から離れた比較的深い位置のシート生地へ直接に縫着する。芯材をシート部の腰部当接部と臀部当接部及び左右の脚当接部に配置する。
シート部は、被介護者を載置するためのもので、被介護者を載置するのに十分な大きさとし、ほぼ長方形をしたシート生地の下辺をほぼ半楕円形に切り込み裁断した形態を基本とする。前記半楕円形の裁断によって、上部に腰部当接部と臀部当接部が、また、下部の左右に脚当接部が形成される。臀部当接部は比較的幅がせまく臀部の上部にあてがわれる程度である。さらに、脚当接部は前記の臀部当接部に続いて下方へ延びるのであるが、臀部当接部とのつながり部分から下方へは臀部を下方へくるむ格好とならないように、つながり部分を比較的深く抉ってある。このため、スリングを臀部へ差し込んだ後、脚当接部を引き伸ばすと、脚当接部はその内側がわずかに臀部に掛かるが大部分は大腿部の外側に当接する程度となる。
この発明の介護用スリングを装着するときは、車椅子、ベッド、シャワー椅子、便器あるいは浴槽に座した被介護者の座面位置まで臀部当接部の下縁を到達させた後、脚当接部を左右それぞれに大腿部の外側に広げ、ついで、左右の下部吊り紐をそれぞれ大腿部の下面を通して内側に上げクロスさせるのであるが、臀部当接部は仙骨を覆うような格好とはならず、臀部当接部から脚部当接部にいたるシートが臀部の外側から大腿部の外側面及び大腿部の下面側をくるむ配置となる。そして、クロスさせた左右の下部吊り紐と左右の上部吊り紐を介護用リフトのフックにかけ、被介護者を吊り上げると、腰部当接部と臀部当接部及び左右の脚当接部は、腰部当接部が腰部を体前方へ押圧して骨盤を立て上げるようにし、臀部当接部は仙骨を覆わず、臀部側面から大腿部の外側面及び大腿部の基部側下面に掛けて脚当接部が覆う配置となる。脚当接部はその内側がわずかに臀部に掛かるが大部分は大腿部の外側から大腿部の下面に当接する。
【００１２】
上部吊り紐を、シート部の上方で左右の隅部へ、その基端が周縁から離れた個所のシート生地へ直接に縫着し、さらに、中心線が臀部当接部方向へ傾斜するよう配置してあるので、上部吊り紐による吊り上げ力は、シート部における左右の隅部から広くシート部の中央側へ三角形状に拡散する。この縫着個所は勿論、被介護者の体を安定して支えられる位置であり、また、十分な強度を保つ縫製により縫着する。
これら上方と下方におけるそれぞれ左右の吊り紐は生地を重ねてループ状に縫着し、ベルト状の紐として用いることが多い。なお、上部吊り紐、下部吊り紐の長さは、吊り上げ時に被介護者の体幹が後方へ１５°くらい傾いた姿勢を保持するような長さで縫着するのが好ましい。なお、この角度１５°は、吊り上げられている被介護者が最も安楽に感じる姿勢の角度であり、体重を吊り上げる力は、腰部当接部と臀部当接部の側で約７０％、脚部当接部の側で３０％の分担が目安となっている。前記のように、上部、下部の吊り紐をシート部へ直接に縫着すると、これらの吊り紐を通じてシート部に伝達される被介護者の体重が、シート縁ステッチヘ集中せず、シート部へ広く拡散して伝達されるので、吊り上げ力が局部的に集中することによる圧迫が生じない。
【００１３】
シート部における腰部当接部の両肩部に円弧状の抉りを入れることがある。この抉りがあると、被介護者を吊り上げたときに、スリングの肩口相当個所に開口があり、吊り上げても被介護者の両肩や両腕に圧迫が生じない。また、芯材をシート部２の腰部当接部と臀部当接部及び左右の脚当接部に配置すると、折り畳んだスリングに“腰”ができて、装着の当初、被介護者の腰部と車椅子背もたれとの間あるいは被介護者の臀部脇と車椅子のアームレスト間など、狭い個所へスリングを差込みやすい。さらに、芯材によって、吊り上げ力が広く分散され、局部的な圧迫を解消する。
なお、スリングの大きさ、強度は被介護者の大きさ、体重などを考慮して、例えば、大、中、小などと定められるべきものであり、シート生地や吊り紐、ステッチ及び芯材などの素材は種々の合成繊維など、軽く、丈夫で清潔に維持しやすいものなど、適切なものを選択することができる。
【００１４】
【発明の実施の形態】
図６は、この発明に係る介護用スリング１を示す展開図であり、スリング１はシート部２、左右の上部吊り紐３、左右の下部吊り紐４、シート縁ステッチ５及び芯材１３を備える。シート部２は、この実施形態において、座した被介護者の身長方向である縦寸法よりも被介護者の肩幅方向である横寸法が少し長いほぼ横長長方形をしたポリエステルの平織り生地であり、その下辺を比較的深く半楕円形状に切り込む裁断をして、中央部に臀部当接部６と腰部当接部７を、また、下部の左右に脚当接部９を有した全体としてほぼ門形とし、その周縁にシート縁ステッチ５を縫い付けてある。
【００１５】
従来のスリングが備えた上腕当接部（８）は存在しない。すなわち、臀部当接部６は左右の脚当接部９の上方を橋架するように下辺を湾曲させて形成し、その上部を腰部当接部７とし、腰部当接部７の両側に続く部分に上部吊り紐３を縫着してある。素材となるシート生地は、通常の被介護者を吊り上げるのに十分な強度を有する。そして、左右の脚当接部９の上部であって臀部当接部６へとつながる個所は図６に破線で示す部分を除去して比較的深く抉ってある。破線部分はスリング１を装着するとき、大腿部の上部から臀部にかけた下面ヘ回り込ませる作業を必要とする部分である。前記腰部当接部７の両側に続く部分の上辺は、下方に切り込まれた円弧状の抉り１４としてある。また、腰部当接部７の上辺は上方へ丸く湾曲した山状の形としてある。
【００１６】
上部、下部の吊り紐３、４は、綾織りのナイロンテープを素材とし、紐状に折り畳んでループ状としてある。その基部どうしを間隔を開けて、すなわち、ループをＵ字形としてその開口側をシート生地へ直接に縫着してある。縫着は被介護者１１を吊り上げるのに充分な強度を発揮できるものとし、必要に応じて縫着個所に補強布を用いることもある。左の上部吊り紐３と同じ側の下部吊り紐４の基部をシート部２へ取り付ける個所は、上部吊り紐３が腰部当接部７の左側上部であり、下部吊り紐４は左の脚当接部９の下端部である。右の上部吊り紐３、右の下部吊り紐４をシート部２へ取り付ける個所は、左の場合と左右対称の個所となっている。なお、上部の吊り紐３と下部の吊り紐４は長さが異なる。
【００１７】
この実施形態における介護用スリング１の寸法を一例として示すと次のとおりである。素材としてのシート生地は、縦・横＝８７５×１０５０ｍｍ（ほぼ横長長方形）、下辺における半楕円状切り込みの深さ＝４００ｍｍ、円弧状抉り１４の深さ＝１００ｍｍ、臀部当接部６と腰部当接部７とをあわせた上下方向寸法＝４４５ｍｍ、上部吊り紐３の（ループの）長さ＝３６５ｍｍ、下部吊り紐４の長さ（同）＝７２０ｍｍ、ループの幅＝７５ｍｍ、ループの中心線が上下方向に対して傾斜している角度は上部吊り紐＝３１°（左右で上方外側へ広がる方向、すなわち、臀部当接部６に向かう方向）、下部吊り紐＝３．５°、上部及び下部の吊り紐３，４がシート生地と縫着されている長さ＝基端から５０ｍｍ。芯材１３は、ナイロン製であるエステルハンプライキ（（株）ユニチカの商品名）を素材とし、臀部当接部６と腰部当接部７に相当する部分を連続させて１枚、左右の脚当接部９のそれぞれに１枚ずつの３枚に分割してあり（図６）、シート生地とシート生地の間に挟んで縫着してある。図６において、符号１０ａは介護者用の手掛けベルトであり、背面側に縫着してある。
【００１８】
使用方法について説明する。
〔車椅子上での装着〕
１．被介護者１１の上半身を前方に傾け、腰部と車いす１２の背もたれ部の間、臀部と車いす座面に十分な隙間を作る。
２．スリング１の左右両側部分（脚当接部９を含む）を縦に、中央側へ交互に折り込んで重ね、ついで、脚当接部９を上方へ折り畳んで重ねた状態とする（図７（１）〜（４））。そして、折り畳んだ状態のスリング１を臀部に差し込む。臀部当接部６と腰部当接部７及び左右の脚当接部９に芯材１３を縫着してあるので、折り畳むとこれらが重なり、折り畳んだスリング全体にいわゆる“腰”ができて、座面まで簡単に差し込むことができる。また、芯材１３で被介護者１１の体重を腰部面へ広く分散させて、被介護者１１の体重を支持するので、この介護用スリング１は、装着の当初、従来のように臀部ヘ深く、例えば仙骨の位置まで挿入しなくても良い。このため、臀部に吊り上げ力の集中する個所が発生せず、被介護者１１に局部的な圧迫が生じることがない。体の大きな被介護者１１の臀部下面までスリング１を回り込ませるのは大変な苦労である。
【００１９】
３．折り畳んだ脚当接部９を腰部側から引き出し、被介護者１１と車椅子１２のアームレストの間に立てて差し込み、介護者の手前に引く。これで被介護者１１の腰部を腰部当接部７で覆った状態となる。この場合も、脚当接部９に芯材１３が入っているので、脚当接部９を被介護者１１と車いす１２のアームレストの間に差し込みやすい。また、大腿部の上部から臀部にかけて回り込ませる必要のある部分は存在しない。
４．脚当接部９を大腿部外側から下面側にまわし内側へ引き込む。下部吊り紐４をたすき掛けにする。すると、シート部２は臀部外側から大腿部の側面に沿って配置され、脚当接部９が大腿部の骨盤に近い箇所で大腿部の下面を幅広くくるんで大腿部の内側に達している。
脚当接部９に芯材１３が入っているので皺が寄りにくく、作業が楽である。また、脚当接部９の上部内側はわずかに臀部に掛かるようになるが、下部吊り紐４は、シート縁ステッチ５ではなく、脚当接部９のシート部２に縫着してあるので、被介護者１１の大腿部に局部的な圧迫が生じることはない。ついで、上部、下部及び左右の吊り紐３，４を介護用リフトのハンガーフックに掛ける（図８）。
【００２０】
５．被介護者１１を少し吊り上げる。このとき、大腿部下面側と腰部側のシート部に芯材１３が入っているので皺が寄りにくい（図９）。被介護者１１に対するスリング各部の位置を調整する。調整は被介護者１１の体と接する部分にしわがないことを確認するのと、各部の位置を点検する程度である。
６．被介護者１１を吊り上げ、移動させる。吊り上げ時の使用は以上のようであるが、シート部２の特に腰部当接部７と脚当接部９に芯材１３をシート生地と重ね合わせて縫着していることにより、シート部２を折り畳んだとき、適度な挿入しやすい形状と“腰”を備えるようになる。このため、使用の手順として、スリング１の腰部当接部７をはさんで、左右のシート部と左右の脚当接部９を交互に重ね、脚当接部９を折り畳む前準備をして被介護者１１の背部へ差し込むだけで容易に挿入することが可能である。
【００２１】
また、左右の上部吊り紐３、左右の下部吊り紐４は、これらの基部をシート生地へ直接に縫着してあるので、図１０のように、シート生地そのものを引き上げるような格好となり、シート生地周縁のシート縁ステッチ５を直接引き上げることはない。このため、上部、下部の吊り紐３，４による引き上げ力は、広い範囲に拡散し、局所に集中するということがない。上部吊り紐３はシート部２の上方隅部の周縁から離れた比較的深い個所に縫着され、中心線が臀部の方向へ傾斜しているので、吊り上げ力がシート生地へ三角形上に拡散し、前記の芯材１３とあいまって、被介護者１１を柔らかく支持する。
吊り上げ時、被介護者１１の体幹は後方へ１５°くらい傾いた姿勢となり、介護用スリング１の腰部当接部７で被介護者１１の腰部を体の前方へ押し出すようにして、大腿部の下面をくるんだ状態の脚当接部９と共に被介護者１１の体重を支持する。腰部を前方へ押す腰部当接部７の作用によって被介護者１１の骨盤を立て上げる状態とするので、被介護者１１の体がつ字形に深く曲がってしまうことがない。このため、吊り上げて搬送中に深く形成した臀部の抉りから、被介護者１１の臀部がずり落ちてしまうなどのことがない。
さらに、吊り上げる状態のときスリング１は、腰部当接部７の両側に円弧状の抉り１４による腕抜き個所ができて、被介護者１１の両腕を肩部からスリング１の側部へ出すことができる（図９、図１１）。これにより、スリング１が肩部や上腕部と接触するのが避けられ、スリング１による肩部や上腕部への圧迫が解消する。なお、吊り上げ時に被介護者１１の両腕をスリング１の外に出しても腋下部分の圧迫は軽く、また、腰部にもシート縁ステッチ５の直接の圧迫は生じない。
【００２２】
〔車いすや便器への着座〕
吊り上げた被介護者１１の上肢を介護用スリング１の中ヘ入れる。すると、上部吊り紐３と下部吊り紐４との長さを異ならせ、被介護者１１の姿勢が後方へ約１５°傾斜するようにしているので（図１２）、被介護者１１の背の角度が車いす１２の背角度や便座と開けた蓋との角度（後方へ約１０°）に近くなり、被介護者１１の膝を軽く押す程度のことで、被介護者１１を安定して安楽な良い姿勢で容易に着座させることができる。従って、介護者が非力な高齢者や女性であっても被介護者１１を着座させるという作業が可能である。
【００２３】
〔シャワー椅子での装着〕
介護用スリング１は、前記のように折り畳んで装着するのであるが、この発明では、背の部分を臀部の深く奥まで挿入する必要がなく、また、脚当接部９を臀部脇から大腿部脇を通して挿入するときも、脚当接部９に芯材１３があって皺が寄りにくいので、挿入と通過がスムーズで、被介護者１１に苦痛を与えることが少なく、介護者も労苦が軽減される。さらに、シャワー椅子の形状に左右されることも少ない。
〔排泄時の使用〕
装着技術はシャワー椅子と同様である。この発明の介護用スリング１は、臀部当接部６で仙骨部を覆わない。したがって、排泄の際にも、便座に着座後、スリング１を完全に抜き取らなくとも汚れてしまうことがなく、介護者にとって着脱の手間が従来のものより軽減される。
【００２４】
【発明の効果】
シート部の上部左右及び下部左右に取り付ける吊り紐の基部を、シート部の上方隅部と脚当接部の下端部へ、その基端部がシート部の周縁から離れた個所でシート生地へ直接に縫着しているので、吊り上げ時の力がシート周縁ステッチに集中せず、シート周縁ステッチが体に食い込むことによる被介護者の苦痛を除去できる。
シート部の臀部当接部と腰部当接部及び左右の脚当接部に芯材を縫着してあるので、スリングを被介護者に装着するときや吊り上げたときに、腰部の部分、大腿部下面の個所などにスリングの皺が寄らず、広い範囲へ吊り上げ力を拡散するので、皺部分が被介護者の体に食い込むことによる被介護者の苦痛を除去できる。
シート部の臀部当接部を被介護者の臀部深く仙骨まで覆う状態とする必要がないので、スリングの脱着が容易である。腰部当接部により腰部を体前方へ押すので、骨盤が立てられ、被介護者の体が折れ曲がってしまうことを防止することができる。また、吊り上げた際に大腿部下面を圧迫することが少ない。
【００２５】
スリング上部の両側に円弧状の抉りを形成しているので、被介護者の両腕をこの部分から外ヘ出した状態で吊り上げることができ、シート部が被介護者の肩や上腕部に接触することがない。このため、これらの部分に圧迫を受けることがなく、被介護者の苦痛が軽減する。
スリングにおける上部吊り紐と下部吊り紐の長さを異ならせて、被介護者を吊り上げたとき、被介護者が後方へ１５°傾斜した姿勢となるようにしてあるので、被介護者を再び車いすへ降ろしたり、シャワー椅子あるいは便器に下ろすとき、車いすの背面シートや便器の蓋が成す角度とあわせやすく、介護者の作業が楽である。
【図面の簡単な説明】
【図１】  従来例を展開して示す平面図
【図２】  装着の手順を示す概略図（従来例）
【図３】  従来例の使用状態を側面から示す概略図
【図４】  従来例の使用状態を正面側から示す概略図
【図５】  吊り上げの基本構造を示す図（従来例、平面図）
【図６】  スリングを展開した平面図（実施例）
【図７】  スリングを折り畳む手順を示した概略図（実施例）
【図８】  実施例の使用状態を正面側から示す概略図
【図９】  実施例の使用状態を背面側から示す概略図
【図１０】  吊り上げの基本構造を示す図（実施例、平面図）
【図１１】  実施例の使用状態を側面から示す概略図
【図１２】  吊り上げた被介護者の姿勢を示す概略図
【符号の説明】
１  スリング
２  シート部
３  上部吊り紐
４  下部吊り紐
５  シート縁ステッチ
６  臀部当接部
７  腰部当接部
８  上腕当接部
９  脚当接部
１０  補強帯
１０ａ  手掛けベルト
１１  被介護者
１２  車いす
１３  芯材
１４  円弧状の抉り
【図１】
0004074755.tif 000002
【図２】
0004074755.tif 000003
【図３】
0004074755.tif 000004
【図４】
0004074755.tif 000005
【図５】
0004074755.tif 000006
【図６】
0004074755.tif 000007
【図７】
0004074755.tif 000008
【図８】
0004074755.tif 000009
【図９】
0004074755.tif 000010
【図１０】
0004074755.tif 000011
【図１１】
0004074755.tif 000012
【図１２】
0004074755.tif 000013